(57)【特許請求の範囲】
【請求項１】
積み重ねられた方形箱の周囲にバンド部材を捲回して荷崩れを防止する荷崩れ防止用緊締具であって、バンド部材が可撓性材で長尺状の帯状体に形成され、そのバンド部材の両端部を連結して止着する止着部材を備えた荷崩れ防止用緊締具において、バンド部材と位置決め部材を分離独立した二部材により構成し、バンド部材の帯状体には長手方向に裏面へ抜ける貫通孔を形成し、位置決め部材は略直角面を形成する二つの当着面で構成し、この当着面から夾角を形成する側へ水平に突設した挿込片を設け、バンド部材の積み重ねた方形箱への捲回時に、帯状体の前記貫通孔に位置決め部材の挿込片を、帯状体の外側面から内側面へ貫通して方形箱の上下間に挿入すると共に、略直角面を形成する二つの当着面を介して帯状体が方形箱の角部に当着してバンド部材が位置決めされることを特徴とする荷崩れ防止用緊締具。
【請求項２】
前記位置決め部材は略直角の夾角部を挟む一対の当着体により断面視略Ｌ字形に屈曲形成されており、その一対の当着体における前記夾角部側には前記当着面がそれぞれ設けられており、前記挿込片は前記一対の当着体のうち少なくとも一方から突出されていることを特徴とする請求項１記載の荷崩れ防止用緊締具。
【請求項３】
前記貫通孔は前記帯状体の長手方向に所定の間隔を隔てて一対貫通形成されており、前記位置決め部材は互いに別体に形成された一対の当着体を有しており、その一対の当着体における１面側には前記当着面がそれぞれ設けられており、前記挿込片は前記一対の当着体の双方から突出されていることを特徴とする請求項１記載の荷崩れ防止用緊締具。
【発明の詳細な説明】
【０００１】
【発明の属する技術分野】
本発明は、各種物品を収容する方形箱を複数個積み重ねて運搬する際に、その方形箱の荷崩れを防止するために使用される荷崩れ防止用緊締具に関するものである。
【０００２】
【従来の技術】
各種物品を運搬したり輸送する場合、これらの各種物品は段ボール箱などの方形箱に収容されて運ばれる。一般に、複数個の方形箱は複数段に積み重ねられて輸送されるが、かかる場合、何らかの固定手段を施さなければ、荷揚げや荷下ろし又はトラックなどの輸送機関による輸送中に、方形箱が荷崩れする恐れがあった。
【０００３】
そこで、積み重ねられた方形箱の荷崩れを防止するため、ガムテープ等の粘着テープを用いて方形箱を固定することがある。この固定方法によれば、複数段に積み重ねられた方形箱における上下に隣接する上段の方形箱と下段の方形箱との間の外縁に沿って、積み荷を一周するように粘着テープが貼着され、この粘着テープにより上下段の方形箱を連結することによって、複数段に積み重ねられた方形箱が固定されて荷崩れが防止される。
【０００４】
しかし、かかる粘着テープによる固定では、粘着テープを方形箱から剥がすと箱外面が汚損されてしまう。特に、紙製の段ボール箱などの方形箱にあっては、粘着テープと共に箱外面が剥がれて、箱外面の印刷文字や印刷模様までもが剥がれてしまうことがある。しかも、このように剥がされた粘着テープは、その粘着面が破壊されているために再利用することができず、ゴミとして廃棄処分されるため、環境を阻害すると共に資源を浪費する結果となってしまう。そこで、本願発明者は、特開平９−２０３３７号公報および特開２０００−６２７８０号公報に記載の荷崩れ防止用緊締具を提案している。
【０００５】
この荷崩れ防止用緊締具は、方形箱の外面に当接される当着板と、その当着板の板面から水平に延出され隣接する上下段の方形箱間に挿し込まれる挿込片と、当着板が取り付けられる帯状体と、その帯状体の長手方向両端を連結して止着する止着具とを備えている。この荷崩れ防止用緊締具によれば、隣接する上下段の方形箱の間に挿込片が挿し込まれることにより、当着板が方形箱の外面に安定して当着される。その後、積み重ねられた方形箱の周囲に帯状体を一周させて巻き付け、帯状体の長手方向両端を止着具により連結して止着することによって、積み重ねられた方形箱が緊締されて固定される。
【０００６】
【発明が解決しようとする課題】
しかしながら、上記公報に記載された方形箱の荷崩れ防止用緊締具によれば、リフト等の運搬装置によって積み重ねられた複数の方形箱を運搬する場合や、トラック等の輸送機関の荷台に方形箱を積み重ねて輸送する場合に、その荷崩れ防止用緊締具緊締具の当着板と方形箱とが接触したままとなる。このため、運搬中や輸送中に衝撃が加わると、荷崩れ防止用緊締具の当着板により方形箱の外面が傷付けられる恐れや、時には、当着板の挿込片が方形箱を貫いて箱内の物品を傷付けてしまう恐れがあるという問題点があった。
【０００７】
また、金属製の当着板にあっては帯状体に比べて重量が重いので、単に帯状体のみで方形箱を緊締して固定する場合に比べて、当着板の分、重量が嵩んで、荷崩れ防止用緊締具により緊締された荷物の重量が増加してしまうという問題点があった。しかも、荷崩れ防止用緊締具が当着板の分だけ重くなるので、荷から取り外された緊締具の持ち運びが煩雑となってしまうという問題点があった。
【０００８】
更に、上記の荷崩れ防止用緊締具によれば、布材などの可撓性材料で形成される帯状体には、硬質な金属材料などで形成された当着板が取り付けられている。このため、その荷崩れ防止用緊締具を荷解き時に回収する場合や保管する場合に、当着板が邪魔となって帯状体をコンパクトに折り畳んだり丸めたりすることができず嵩張ってしまうという問題点があった。
【０００９】
また、上記した荷崩れ防止用緊締具は、その当着板に帯状体の幅長に応じた縦長孔が穿設されており、かかる縦長孔に帯状体を挿通することにより当着板が帯状体に取り付けられている。即ち、かかる荷崩れ防止用緊締具では、より幅広の帯状体を用いる場合に、その帯状体の幅長に応じた縦長孔を穿設した当着板が必要となるため、或る幅長の帯状体に対応したサイズの当着板を、異なる幅の帯状体に流用することができないという問題点があった。
【００１０】
しかも、上記の荷崩れ防止用緊締具では、当着板が帯状体に一体的に取り付けられるので、かかる当着板が方形箱と共に輸送されてしまう。即ち、荷崩れ防止用緊締具による方形箱の緊締後において当着板を帯状体から取り外すことができないので、多数の緊締具を用いて方形箱を緊締する場合、帯状体の数に応じた数の当着板が必要となり、その分、かかる緊締具自体のコストが増加してしまうという問題点があった。
【００１１】
本発明は、上述した問題点を解決するためになされたものであり、方形箱の損傷を防止することができ、且つ、方形箱の緊締後における重量を軽量化することができ、更に、嵩張らずに回収や保管をすることができる荷崩れ防止用緊締具を提供することを目的としている。
【００１２】
【課題を解決するための手段】
この目的を達成するために請求項１記載の荷崩れ防止用緊締具は、積み重ねられた方形箱の周囲にバンド部材を捲回して荷崩れを防止する荷崩れ防止用緊締具であって、バンド部材が可撓性材で長尺状の帯状体に形成され、そのバンド部材の両端部を連結して止着する止着部材を備えた荷崩れ防止用緊締具において、バンド部材と位置決め部材を分離独立した二部材により構成し、バンド部材の帯状体には長手方向に裏面へ抜ける貫通孔を形成し、位置決め部材は略直角面を形成する二つの当着面で構成し、この当着面から夾角を形成する側へ水平に突設した挿込片を設け、バンド部材の積み重ねた方形箱への捲回時に、帯状体の前記貫通孔に位置決め部材の挿込片を、帯状体の外側面から内側面へ貫通して方形箱の上下間に挿入すると共に、略直角面を形成する二つの当着面を介して帯状体が方形箱の角部に当着してバンド部材が位置決めされるものである。
【００１３】
この請求項１記載の荷崩れ防止用緊締具によれば、位置決め部材の挿込片が、バンド部材における帯状体の一面側から貫通孔に挿入され、その貫通孔から帯状体の他面側へ突出されて、位置決め部材の当着面が帯状体の一面側に当着される。帯状体から突出された挿込片が積み重ねられた方形箱における隣接するもの同士の間に挿し込まれると、帯状体の他面側が位置決め部材の当着面を介して方形箱の外面に当着され、バンド部材が方形箱の外面に位置決めされる。
【００１４】
その後、バンド部材の帯状体が積み重ねられた方形箱の周囲に捲回され、止着部材によって帯状体の長手方向両端部が連結され止着されると、バンド部材によって積み重ねられた方形箱が緊締されて固定される。その後、位置決め部材の挿込片が帯状体の貫通孔から抜脱されると、位置決め部材がバンド部材から取り外され、荷崩れ防止用緊締具による方形箱の緊締が完了する。
【００１５】
請求項２記載の荷崩れ防止用緊締具は、請求項１記載の荷崩れ防止用緊締具において、前記位置決め部材は略直角の夾角部を挟む一対の当着体により断面視略Ｌ字形に屈曲形成されており、その一対の当着体における前記夾角部側には前記当着面がそれぞれ設けられており、前記挿込片は前記一対の当着体のうち少なくとも一方から突出されている。
【００１６】
この請求項２記載の荷崩れ防止用緊締具によれば、請求項１記載の荷崩れ防止用緊締具と同様に作用する上、位置決め部材の挿込片をバンド部材の貫通孔へ挿入すれば、一対の当着体における夾角部側の面である当着面に沿って、帯状体の長手方向の一部分が略Ｌ字形に屈曲される。その後、２つの隣接する方形箱の外面角部に位置決め部材の夾角部を合致させつつ、位置決め部材の挿込片を、その２つの隣接する方形箱の間に挿し込む。この挿し込みにより、一対の当着体における当着面を介して帯状体の屈曲部分が方形箱の外面角部に当着され、一対の当着体を介してバンド部材が方形箱の外面角部に位置決めされる。
【００１７】
請求項３記載の荷崩れ防止用緊締具は、請求項１記載の荷崩れ防止用緊締具において、前記貫通孔は前記帯状体の長手方向に所定の間隔を隔てて一対貫通形成されており、前記位置決め部材は互いに別体に形成された一対の当着体を有しており、その一対の当着体における１面側には前記当着面がそれぞれ設けられており、前記挿込片は前記一対の当着体の双方から突出されている。
【００１８】
この請求項３記載の荷崩れ防止用緊締具によれば、請求項１記載の荷崩れ防止用緊締具と同様に作用する上、位置決め部材をバンド部材に取り付ける場合、一方の当着体の挿込片が帯状体の一方の貫通孔へ挿入され、他方の当着体の挿込片が帯状体の他方の貫通孔へ挿入される。ここで、一の挿込片は、２つの隣接する方形箱における一の外面から両方形箱間へ挿し込まれ、他の挿込片は、一の挿込片が挿し込まれた一の外面と共に角部を成す他の外面から両方形箱間へ挿し込まれる。
【００１９】
この挿し込みにより、一対の当着体における当着面を介して帯状体が方形箱の外面角部を構成する２つの外面にそれぞれ当着され、且つ、一対の当着体を介してバンド部材が方形箱の外面角部に位置決めされるのである。
【００２０】
【発明の実施の形態】
以下、本発明の好ましい実施例について、添付図面を参照して説明する。図１は、本発明の荷崩れ防止用緊締具の一実施例である緊締具１を分解した外観斜視図である。緊締具１は、積み重ねられた複数の方形箱Ａ（図３参照）の周囲に捲回されて緊締するための器具である。なお、図１では、帯状体３ａの一部の図示を省略している。
【００２１】
図１に示すように、緊締具１は、主に、位置決め具２と、バンド部材３とを備えている。位置決め具２は、バンド部材３を方形箱Ａに周囲に位置決めするためのものであり、金属材料や硬質合成樹脂材料などの硬質材料によりバンド部材３と別体に形成されている。位置決め具２は、略矩形平板状に形成された一対の当着板２ａ，２ａを備え、この一対の当着板２ａ，２ａにより略直角の夾角部２ｂを挟むように断面視略Ｌ字形に屈曲形成されている。
【００２２】
各当着板２ａ，２ａにおける夾角部２ｂ側の板面（図１手前側）には、バンド部材３の帯状体３ａにおける外周面に当着される当着面２ｃ，２ｃがそれぞれ形成されている。また、一方の当着板２ａ（図１右側）には、その当着面２ｃの上下方向略中央から、その当着面２ｃと略直角を成すように略矩形平板状の挿込片２ｄが水平に突出されている。このように挿込片２ｄを平板状に形成することにより、かかる挿込片２ｄを隣接する方形箱Ａ，Ａ間の隙間へ挿し込み易くすることができる。
【００２３】
バンド部材３は、主に、積み重ねられた方形箱Ａの周囲に捲回される帯状体３ａで形成されており、この帯状体３ａは、布材などの可撓性材料で長尺帯状に形成されている。帯状体３ａの長手方向中間部分の２箇所には、その帯状体３ａの長手方向と同一方向へ伸縮する伸縮部３ｂがそれぞれ設けられ、かかる伸縮部３ｂ，３ｂにはゴム入り織物などの伸縮性を有する素材が用いられている。よって、かかかる伸縮部３ｂ，３ｂを伸張させつつバンド部材３を方形箱Ａの周囲に捲回すれば、伸縮部３ｂの復元力によってバンド部材３による方形箱Ａの引き締め力を増すことができる。
【００２４】
また、帯状体３ａの長手方向中間部分であって伸縮部３ｂ，３ｂとの間の部分にはスリット３ｃが設けられている。このスリット３ｃは、上述した位置決め具２の挿込片２ｄを挿入するための切れ目である。スリット３ｃは、帯状体３ａの厚さ方向に貫通形成され、帯状体３ｃの長手方向と同一方向に幅広に形成されている。ここで、上記した挿込片２ｄはスリット３ｃと同一方向に幅広な略矩形平板状に形成され、スリット３ｃの長手方向幅は挿込片２ｄの水平方向幅に対してほぼ等しいか或いは大きくされている。よって、挿込片２ｄがスリット３ｃに挿入される場合に、挿込片２ｄによりスリット３ｃの長手方向両縁部が裂けて破損することが防止できる。
【００２５】
バンド部材３における帯状体３ａの長手方向一端部には、帯状体３ａの幅方向と同一方向に幅広な略矩形環状の環体４が縫合により取り付けられている。環体４は、帯状体３ａの長手方向両端部を係合するためのものであり、この環体４における一方の長辺部分（図１右側）に帯状体３ａが縫着されている。この環体４によれば、帯状体３ａの長手方向他端部（即ち、芯材５側の端部）を挿通して、その挿通された部分を反挿通方向へ折り返えすことにより、帯状体３ａの長手方向両端部を係合することができる（図３参照）。
【００２６】
また、環体４における他方の長辺部分には、その長辺部分を枢軸とする円筒状の回動筒４ａが設けられている。環体４の内周へ帯状体３ａの長手方向他端部を挿通する場合、その挿通される帯状体３ａの端部が回動筒４ａに接触すると、回動筒４ａが回動されて、帯状体３ａの挿通が介助されるのである。なお、環体４には、必ずしも環体４の長辺部分で回動する回動筒４ａを設ける必要はなく、環体４の長辺部分を単に円柱状の棒体に形成しても良い。
【００２７】
帯状体３ａの長手方向他端部、即ち、環体４の反縫着側の端部には、その帯状体３ａの幅方向に芯材５が設けられている。また、この帯状体３ａの芯材５側の端部には、かかる端部を環体４へ挿通する際の把持部として幅細帯状の引き手６が輪状に設けられている。更に、帯状体３ａにおける芯材５側の端部には、帯状体３ａの外周面の幅方向両端縁に沿って所定長さの止着具７，７が帯状体３ａの環体４側の端部へ向けて縫着されると共に、この止着具７，７と所定の間隔を隔てて、帯状体３ａの外周面側における幅方向両端縁に沿って所定長さの止着具８，８が帯状体３ａの環体４側の端部へ向けて縫着されている。
【００２８】
１組の止着具７，８は、その一方が他方に着脱可能に接着される１組の布片状の面ファスナで構成されており、止着具７，８を重ね合わせることにより、両止着具７，８の当接面同士を接着して止着することができるものである。この止着具７，８による止着によって、環体４に挿入されて折り返される帯状体３ａの芯材５側の端部と、帯状体３ａの環体４側の端部とを連結して止着することができる。
【００２９】
図２は、位置決め具２がバンド部材３に取り付けられた状態を示した緊締具１の部分的な拡大斜視図である。図２に示すように、位置決め具２をバンド部材３に取り付けた状態では、挿込片２ｄは、バンド部材３における帯状体３ａの外周面側からスリット３ｃに挿入され、そのスリット３ｃから帯状体３ａの内周面側へ突出されている。挿込片２ｄの基端部までがスリット３ｃ内に挿入された場合、位置決め具２の当着面２ｃが帯状体３ａの外周面側に当着され、結果として、帯状体３ａの長手方向一部分が位置決め具２の夾角部２ｂにより略Ｌ字形に屈曲されている。
【００３０】
図３及び図４を参照して、上記した緊締具１の使用方法について説明する。図３は、緊締具１により緊締された複数個の方形箱Ａ，Ａ，・・・の斜視図であり、図４（ａ）は、図３のＩＶａ−ＩＶａ線における断面図であり、図４（ｂ）は、図４（ａ）に示す位置決め具２をバンド部材３から取り外した状態を示す断面図である。
【００３１】
図３に示すように、複数段に積み重ねられた方形箱Ａ，Ａ，・・・を緊締して固定する場合、緊締具１は、そのバンド部材３に位置決め具２を取り付けて使用される（図２参照）。具体的には、まず、位置決め具２の夾角部２ｂ（図１及び２参照）を、適宜高さ位置で隣接する２つの方形箱Ａ，Ａの外面角部Ａ１，Ａ１に合致させる一方で、図４（ａ）に示すように、位置決め具２の挿入片２ｄが隣接する方形箱Ａ，Ａ間の隙間に挿し込まれる。
【００３２】
この挿し込みにより、一対の当着板２ａ，２ａの当着面２ｃ，２ｃを介して、帯状体３ａの略Ｌ字形に屈曲した部分が方形箱Ａ，Ａの外面角部Ａ１，Ａ１に当着されると、図３に示すように、バンド部材３が方形箱Ａ，Ａの外面角部Ａ１，Ａ１に位置決めされる。その後、バンド部材３の引き手６が把持され、バンド部材３を積み重ねられた方形箱Ａ，Ａ，・・・の周囲に一周させて、帯状体３ａにおける引き手６側の端部を環体４に挿通させる。
【００３３】
かかる挿通後、環体４に挿通された帯状体３ａの端部を折り返えし、その折り返し方向へ引き手６を引けば、バンド部材３の伸縮部３ｂ，３ｂが伸張されて、バンド部材３により方形箱Ａ，Ａ，・・・の周囲が引き締められる。その後、止着具７，７を止着具８，８に重ね合わせて押圧すれば、両止着具７，８が接着されてバンド部材３の帯状体３ａの長手方向両端部が連結されて止着され、バンド部材３が方形箱Ａ，Ａ，・・・の周囲に捲回される。
【００３４】
止着具７，８によるバンド部材３の止着後、図４（ｂ）に示すように、位置決め具２の挿込片２ｄが帯状体３ａのスリット３ｃから抜脱されると、挿込片２ｄが隣接する方形箱Ａ，Ａ間から外れると共に、バンド部材３から位置決め具２が取り外される。この結果、緊締具１のバンド部材３によって、積み重ねられた方形箱Ａ，Ａ，・・・は強固に緊締されて固定されるので、かかる方形箱のＡ，Ａ，・・・の荷崩れを防止できるのである。
【００３５】
図５及び図６を参照して、上記実施例の変形例について説明する。図５は、第２実施例の緊締具２０の部分的な拡大斜視図である。第２実施例の緊締具２０は、上記した第１実施例の緊締具１に対して、位置決め具の形態を変更したものである。以下、第１実施例と同一の部分には同一の符号を付して、その説明を省略し、異なる部分のみを説明する。なお、図５では、バンド部材２２の一部の図示を省略している。
【００３６】
図５に示すように、緊締具２０の位置決め具２１は、互いに別体に形成された一対の当着板２１ａ，２１ａを備えている。各当着板２１ａは、金属材料や硬質合成樹脂材料などの硬質材料で略矩形平板状に形成され、バンド部材２２と別体に形成されている。各当着板２１ａの一面側（図５の手前側）には、バンド部材２２の帯状体３ａの外周面に当着される当着面２ｃがそれぞれ形成されている。
【００３７】
また、各当着板２１ａには、その当着面２ｃの上下方向略中央から、その当着面２ｃと略直角を成すように略矩形平板状の挿込片２ｄが水平に突出されている。更に、バンド部材２２の帯状体３ａには、その長手方向に所定の間隔を隔てて一対のスリット３ｃ，３ｃが帯状体３ａの厚さ方向に貫通形成され、この一対のスリット３ｃ，３ｃには当着板２１ａ，２１ａの挿込片２ｄ，２ｄがそれぞれ挿脱可能に挿入されている。
【００３８】
図６を参照して、上記の緊締具２０の使用方法について説明する。図６は、第２実施例の緊締具２０により緊締された複数個の方形箱Ａ，Ａ，・・・の斜視図である。図６に示すように、複数段に積み重ねられた方形箱Ａ，Ａ，・・・を緊締して固定する場合、緊締具２０は、そのバンド部材２２に位置決め具２１を取り付けて使用される。ここで、外面Ａ２，Ａ３は、方形箱Ａの外面角部Ａ１を構成する外面である。
【００３９】
まず、一方の当着板２１ａの挿込片２ｄが、適宜高さ位置で隣接する２つの方形箱Ａ，Ａ間へ外面Ａ２，Ａ２側から押し込まれ、他方の当着板２１ａの挿込片２ｄが、その方形箱Ａ，Ａ間へ外面Ａ３，Ａ３側から押し込まれる。この挿し込みにより、一対の当着板２１ａ，２１ａにおける当着面２ｃ，２ｃを介して、帯状体３ａが方形箱Ａの外面角部Ａ１を構成する２つの外面Ａ２，Ａ３にそれぞれ当着され、バンド部材３を方形箱Ａの外面角部Ａ１の付近に位置決めすることができる。
【００４０】
以上、実施例に基づき本発明を説明したが、本発明は上記実施例に何ら限定されるものではなく、本発明の趣旨を逸脱しない範囲内で種々の改良変形が可能であることが容易に推察できるものである。
【００４１】
例えば、上記実施例では、挿込片２ｄを略矩形平板状に形成したが、かかる挿込片の形状は必ずしもこれに限られるものではなく、隣接する方形箱Ａ，Ａ間に挿込可能な形状であれば、例えば、細い棒状であっても良い。また、挿込片２ｄは、図１に示すように舌片状に当着板２ａを切り込んで屈曲形成したが、かかる挿込片を当着板２ａの当着面２ｃに溶接等により固着しても良い。
【００４２】
また、帯状体３ａを環体４へ挿入する際の把持部として、輪状の引き手６を用いたが、かかる引き手の形態は必ずしもこれに限られるものではなく、帯状体３ａにおける芯材５より反先端側の部分に帯状体３ａの幅方向に縦長孔等の引き手部を設けても良い。更に、本発明の止着部材として面ファスナで構成される止着具７，８を適用したが、かかる止着部材の形態は必ずしもこれに限られるものではなく、例えば、ホックなどの留め具を用いても良い。
【００４３】
【発明の効果】
請求項１記載の荷崩れ防止用緊締具によれば、バンド部材を位置決めする位置決め部材はバンド部材と別体に形成されるので、バンド部材による方形箱の緊締後に位置決め部材を取り外すことができる。よって、帯状体により緊締された方形箱を運搬する場合に、位置決め部材や挿込片による方形箱の外面の損傷や、方形箱内の物品の損傷を回避することができるという効果がある。しかも、位置決め部材をバンド部材から取り外せば、その分、緊締具自体の重量が軽量化されるので、方形箱の運搬時の重量をも軽減することができるという効果がある。
【００４４】
また、方形箱の緊締後、位置決め部材をバンド部材から取り外しておけば、方形箱の荷解きの際にはバンド部材のみを回収すればよいので、帯状体を丸めて嵩張らずに回収することができる。しかも、緊締具を保管する場合に、位置決め部材をバンド部材から外しておけば、かかるバンド部材の帯状体を丸めてコンパクトに保管することができるという効果がある。
【００４５】
更に、バンド部材による方形箱の緊締後、そのバンド部材から位置決め部材は取り外されるので、かかる位置決め部材が方形箱と共に輸送されることがない。このため、バンド部材による方形箱の緊締後、そのバンド部材から位置決め部材を取り外せば、その取り外された位置決め部材を用いて他のバンド部材を方形箱に位置決めすることもできる。即ち、１つの位置決め部材を用いて、何度でもバンド部材による方形箱の緊締作業を行うことができるので、バンド部材の個数に応じた位置決め部材が不要となり、その分、緊締具の使用に伴う各種のコストを低減することができるという効果がある。
【００４６】
しかも、従来の荷崩れ防止用緊締具のように、バンド部材の帯状体の幅に応じた縦長孔を位置決め部材に穿設して、その縦長孔に帯状体を挿通することにより位置決め部材をバンド部材に取り付ける必要がない。よって、或る幅長の帯状体に対応したサイズの位置決め部材を、異なる幅の帯状体に流用することができるので、複数種類のサイズの位置決め部材を用意しておく必要がなく、緊締具全体として製造コストを低減することができるという効果がある。
【００４７】
請求項２記載の荷崩れ防止用緊締具によれば、請求項１記載の荷崩れ防止用緊締具の奏する効果に加え、位置決め部材は略直角の夾角部を挟む一対の当着体により断面視略Ｌ字形に屈曲形成されるので、この一対の当着体による夾角部を方形箱の外面角部に合致させることができる。この合致によって、位置決め部材の夾角部は方形箱の外面角部に適合して填るので、バンド部材を強く引き締めて方形箱の周囲に捲回する場合に、バンド部材が方形箱の周囲で滑ってずれ動くことを防ぐことができ、かかるずれ動きによるバンド部材の緩みを防止することができるという効果がある。
【００４８】
請求項３記載の荷崩れ防止用緊締具によれば、請求項１記載の荷崩れ防止用緊締具の奏する効果に加え、位置決め部材は、一対の当着体によって、方形箱の外面角部を構成する２つの外面にバンド部材の帯状体を位置決めすることができる。即ち、バンド部材の帯状体は、一対の当着体によって、方形箱の外面角部を跨いだ少なくとも２箇所で位置決めすることができる。よって、バンド部材を強く引き締めて方形箱の周囲に捲回する場合に、その引き締め力による一方の当着体のずれ動きを、他方の当着体により抑制することができる。従って、バンド部材が方形箱の周囲で滑ってずれ動くことを防ぐことができ、かかるずれ動きによるバンド部材の緩みを防止することができるという効果がある。
【図面の簡単な説明】
【図１】  本発明の一実施例である緊締具を分解した外観斜視図である。
【図２】  位置決め具がバンド部材に取り付けられた状態を示した緊締具の部分的な拡大斜視図である。
【図３】  緊締具により緊締された複数個の方形箱の斜視図である。
【図４】  （ａ）は、図３のＩＶａ−ＩＶａ線における断面図であり、（ｂ）は（ａ）に示す位置決め具をバンド部材から取り外した状態を示す断面図である。
【図５】  第２実施例の緊締具の部分的な拡大斜視図である。
【図６】  第２実施例の緊締具により緊締された複数個の方形箱の斜視図である。
【符号の説明】
１，２０          緊締具（荷崩れ防止用緊締具）
２，２１          位置決め具（位置決め部材）
２ａ，２ａ        当着板（一対の当着体）
２ｂ              夾角部
２ｃ              当着面
２ｄ              挿込片
３，２２          バンド部材
３ａ              帯状体
３ｃ              スリット（貫通孔）
４                環体（止着部材の一部）
７，８            止着具（止着部材の一部）
２１ａ，２１ａ    当着板（一対の当着体）
Ａ                方形箱
Ａ１              外面角部
Ａ２              外面（方形箱の外面角部を成す１の外面）
Ａ３              外面（方形箱の外面角部を成す他の外面）
【図１】
0003897992.tif 000002
【図２】
0003897992.tif 000003
【図３】
0003897992.tif 000004
【図４】
0003897992.tif 000005
【図５】
0003897992.tif 000006
【図６】
0003897992.tif 000007